(57)【要約】【課題】多様な環境に適用できるブラシレス直流モータ、圧縮機及びこれを有する空気調和機を提供する。【解決手段】本発明はブラシレス直流モータ、圧縮機及びこれを有する空気調和機に関するものであって、本発明によるブラシレス直流モータは永久磁石を有する回転子と；前記永久磁石で発生される磁場との相互作用によってトルクを発生させるための電場を形成する複数相のコイルを備えた固定子と；前記固定子内に配置され、温度変化によって前記複数相のコイルを電気的に連結及び連結解除可能に設けられた負荷防止部とを含むことを特徴とする。【選択図】図２
2008199872.tif 000002
【特許請求の範囲】
【請求項１】
ブラシレス直流モータにおいて、
永久磁石を有する回転子と；
前記永久磁石から発生される磁場との相互作用によってトルクを発生させるための電場を形成する複数相のコイルを備える固定子と；
前記固定子内に配置され、温度変化によって前記複数相のコイルを電気的に連結及び連結解除可能に設けられた負荷防止部と
を含むことを特徴とするブラシレス直流モータ。
【請求項２】
前記負荷防止部は、前記複数相のコイルが相互交差する領域に配置されたことを特徴とする、請求項１に記載のブラシレス直流モータ。
【請求項３】
前記負荷防止部は、
前記固定子に結合されて前記コイルと連結されたケーシングと；
前記複数相のコイルの各相を相互連結可能に前記ケーシングに配置された移動部材と；
前記移動部材が前記コイルと連結される連結位置と、前記コイルと連結解除される短絡位置との間を移動可能に前記ケーシングに結合された変形部材とを含むことを特徴とする、請求項１に記載のブラシレス直流モータ。
【請求項４】
前記変形部材は、バイメタルを含むことを特徴とする、請求項３に記載のブラシレス直流モータ。
【請求項５】
前記負荷防止部は、
前記移動部材を前記変形部材に向かって弾性的に加圧する弾性部材をさらに含むことを特徴とする、請求項３に記載のブラシレス直流モータ。
【請求項６】
圧縮機において、
永久磁石を有する回転子と、前記永久磁石から発生される磁場との相互作用によってトルクを発生させるための電場を形成する複数相のコイルを備える固定子と、前記固定子内に設けられ温度変化によって前記複数相のコイルを電気的に連結及び分離可能に設けられた負荷防止部とを含むブラシレス直流モータと；
前記ブラシレス直流モータの回転によって冷媒を圧縮させるシリンダーとを含むことを特徴とする圧縮機。
【請求項７】
前記負荷防止部は、前記複数相のコイルが相互交差する領域に配置されたことを特徴とする、請求項６に記載の圧縮機。
【請求項８】
前記負荷防止部は、
前記固定子に結合されて前記コイルと連結されたケーシングと；
前記ケーシングの内側に配置され、前記複数相のコイルの各相を相互連結させる移動部材と；
温度変化によって変形され前記移動部材を移動可能に前記ケーシングに結合された変形部材とを含むことを特徴とする、請求項６に記載の圧縮機。
【請求項９】
前記負荷防止部は、
前記移動部材を前記変形部材に向かって弾性的に加圧する弾性部材をさらに含むことを特徴とする、請求項８に記載の圧縮機。
【請求項１０】
前記変形部材が変形され前記移動部材が前記コイルから分離された場合、前記ブラシレス直流モータが駆動されないように制御する制御部をさらに含むことを特徴とする、請求項８に記載の圧縮機。
【請求項１１】
空気調和機において、
冷媒を圧縮させる請求項６乃至１０のうちのいずれか一項の圧縮機と；
前記圧縮機で圧縮された冷媒を蒸発させる熱交換機と；
前記熱交換機と熱交換可能に流動を形成する送風ファンとを含むことを特徴とする空気調和機。
【発明の詳細な説明】
【技術分野】
【０００１】
本発明は、ブラシレス直流モータ、圧縮機及びこれを有する空気調和機に係わり、より詳しくは、ブラシレス直流モータの過負荷を予防する構造を改善したブラシレス直流モータ、圧縮機及びこれを有する空気調和機に関する。
【背景技術】
【０００２】
一般に、空気調和機は使用者の要求によって暖房モード及び冷房モードで駆動される。冬には暖房モードで室内を暖かくし、夏には冷房モードで室内を涼しくする。さらに、室内の湿度を調節し、室内の空気を快適な清浄状態に調節する。
【０００３】
一般に、空気調和機は室内を冷房または暖房させる室内熱交換機及び室内送風ファンが装着された室内機と、室外熱交換機と室外送風ファン及び圧縮機などを有する室外機とを含む。
【０００４】
暖房モードによる暖房サイクルは、まず、圧縮機で冷媒を圧縮する。圧縮された冷媒は室内熱交換機に供給され熱交換によって室内側に暖かい空気が放出されて室内を暖かく保持できる。
【０００５】
冷房モードによる冷房サイクルは、まず、圧縮機で冷媒を圧縮する。圧縮された冷媒は室外熱交換機に供給され熱交換によって室内側に冷たい空気が放出されて室内を冷たく保持できる。そして、室内を通過した冷媒は室外熱交換機に供給される。
【０００６】
このような冷房及び暖房過程で圧縮機は冷媒を媒介として圧縮過程を繰り返し、空気調和機では圧縮→凝縮→膨張→蒸発過程が連続的に行われる。
【０００７】
一般に、圧縮機は、固定子と永久磁石を有する回転子から構成されたブラシレス直流モータの磁束変化によって回転する駆動軸と、駆動軸の偏心部に結合されて駆動軸の回転によってシリンダーの内部空間で回転するローリングピストンとを含む。
【０００８】
そして、圧縮機は安定的で安全な運転をするために各種のセンサーに基づいてブラシレス直流モータの駆動を制御する制御部を含む。センサーは回転子の位置を検出したり、温度を検出するサーモスタット（ｔｈｅｒｍｏｓｔａｔ）を含む。ここで、ブラシレス直流モータは必要によって劣悪な環境でも使用でき、このような劣悪な環境ではセンサーを設置し難い場合もある。
【０００９】
そのため、温度を感知する手段が固定子などに備えられれば劣悪な環境でも使用されることができ、ブラシレス直流モータが使用される温度をさらに確実に反映することができる。
【発明の開示】
【発明が解決しようとする課題】
【００１０】
したがって、本発明の目的は、多様な環境に適用できるブラシレス直流モータ、圧縮機及びこれを有する空気調和機を提供することにある。
【００１１】
また、本発明の他の目的は、使用環境の温度を検出する構造を簡便にし、信頼性を向上させることができるブラシレス直流モータ、圧縮機及びこれを有する空気調和機を提供することにある。
【課題を解決するための手段】
【００１２】
前記目的は、本発明によって、ブラシレス直流モータにおいて、永久磁石を有する回転子と；前記永久磁石から発生される磁場との相互作用によってトルクを発生させるための電場を形成する複数相のコイルを備える固定子と；前記固定子内に配置され、温度変化によって前記複数相のコイルを電気的に連結及び連結解除可能に設けられた負荷防止部とを含むことを特徴とするブラシレス直流モータによって達成される。
【００１３】
前記負荷防止部は、前記複数相のコイルが相互交差する領域に配置されることができる。
【００１４】
前記負荷防止部は、前記固定子に結合されて前記コイルと連結されたケーシングと；前記複数相のコイルの各相を相互連結可能に前記ケーシングに配置された移動部材と；前記移動部材が前記コイルと連結される連結位置と、前記コイルと連結解除される短絡位置との間を移動可能に前記ケーシングに結合された変形部材とを含むことができる。
【００１５】
前記変形部材は、バイメタルを含むことができる。
【００１６】
前記負荷防止部は、前記移動部材を前記変形部材に向かって弾性的に加圧する弾性部材をさらに含むことができる。
【００１７】
一方、本発明の目的は、圧縮機において、永久磁石を有する回転子と、前記永久磁石から発生される磁場との相互作用によってトルクを発生させるための電場を形成する複数相のコイルを備える固定子と、前記固定子内に設けられ温度変化によって前記複数相のコイルを電気的に連結及び分離可能に設けられた負荷防止部とを含むブラシレス直流モータと；前記ブラシレス直流モータの回転によって冷媒を圧縮させるシリンダーとを含むことを特徴とする圧縮機によって達成される。
【００１８】
前記負荷防止部は、前記複数相のコイルが相互交差する領域に配置されることができる。
【００１９】
前記負荷防止部は、前記固定子に結合されて前記コイルと連結されたケーシングと；前記ケーシングの内側に配置され、前記複数相のコイルの各相を相互連結させる移動部材と；温度変化によって変形され前記移動部材を移動可能に前記ケーシングに結合された変形部材とを含むことができる。
【００２０】
前記負荷防止部は、前記移動部材を前記変形部材に向かって弾性的に加圧する弾性部材をさらに含むことができる。
【００２１】
前記変形部材が変形され前記移動部材が前記コイルから分離された場合、前記ブラシレス直流モータが駆動されないように制御する制御部をさらに含むことができる。
【００２２】
一方、本発明の目的は、空気調和機において、冷媒を圧縮させる圧縮機と；前記圧縮機で圧縮された冷媒を蒸発させる熱交換機と；前記熱交換機と熱交換可能に流動を形成する送風ファンとを含むことを特徴とする空気調和機によって達成される。
【発明の効果】
【００２３】
本発明によれば、多様な環境に適用できるブラシレス直流モータ、圧縮機及びこれを有する空気調和機を提供することができる。
【００２４】
また、使用環境の温度を検出する構造を簡便にし、信頼性を向上させることができる。
【発明を実施するための最良の形態】
【００２５】
以下、本発明による空気調和機について添付図面を参照して説明する。空気調和機は天井型だけでなく窓埋入型、室内スタンド型などを含むことができるが、以下では本発明の一実施形態として室内機と、室外機を有する空気調和機について説明する。
【００２６】
図１乃至図５ｂに示されているように、本発明の空気調和機１００は、圧縮機２１０と、室外熱交換機１２１と、室外送風ファン１２３を含む室外機１２０を有する。空気調和機１００は室内機１１０をさらに含む。
【００２７】
室内機１１０は事務室のような室内に設置されて室内空間の空気を冷房または暖房させる。室内機１１０は、圧縮機２１０で圧縮された冷媒が通過する室内熱交換機１１１と、室内空気を流動させて室内熱交換機１１１と熱交換させる室内送風ファン１１３を含む。室内機１１０は図示されていない室内制御部を含み、室内制御部は使用者が入力した入力情報によって室内送風ファン１１３の稼働の要否を制御する。
【００２８】
室外機１２０は圧縮機２１０と、室外送風ファン１２３と、室外熱交換機１２１を含む。室外機１２０は室内機１１０と無線または有線によって電気的に連結され、圧縮機２１０及び室外送風ファン１２３等を制御する室外制御部１２５を含む。室外送風ファン１２３は室外熱交換機１２１と近接して設置され、室外空気を流動させて室外熱交換機１２１と室外空気を熱交換させる。
【００２９】
室外熱交換機１２１は外部空気と熱交換が行われるように室外送風ファン１２３の流動経路上に設けられる。
【００３０】
圧縮機２１０は、ブラシレス直流モータ２３０と、シリンダー２１７を含む。圧縮機２１０はハウジング２１１と、駆動軸２１３を含む。圧縮機２１０はローリングピストン２１９をさらに含む。圧縮機２１０は制御部２７０と、センサー部２８０を含む。圧縮機２１０は気液分離管（図示せず）を有するアキュムレーター（図示せず）をさらに含むことができる。圧縮機２１０は整流部２９１とインバータ部２９３をさらに含むことができる。
【００３１】
ハウジング２１１は、圧縮機２１０の外形を形成する。ハウジング２１１は図示されていない下部ケーシングと上部ケーシングとに分けられ、ハウジング２１１の内部にいろいろな部品を収容する。
【００３２】
駆動軸２１３は長い棒状に設けられ回転子２３１の回転力をローリングピストン２１９に伝達する。駆動軸２１３は、ローリングピストン２１９と結合される部位に軸中心から偏心された偏心部材２１５を含む。
【００３３】
駆動軸２１３が回転することによって回転半径方向のラジアル荷重と回転軸方向に作用する荷重のスラスト荷重が発生する。
【００３４】
シリンダー２１７はハウジング２１１の下部領域に圧縮冷媒が出入されるように形成されている。シリンダー２１７は開閉バルブ（図示せず）等と連通されて、冷媒がシリンダー２１７に吸入及び排出されることができる。シリンダー２１７の内部にはローリングピストン２１９が回転軸線から偏心するように形成されて配置される。
【００３５】
ローリングピストン２１９は、駆動軸２１３の偏心部材２１５と結合されて駆動軸２１３の回転によって偏心部材２１５と共に回転する。
【００３６】
図示されていないベインは、駆動軸２１３の回転半径方向に直線往復運動が可能なようにシリンダー２１７に出入可能に結合され、その端部がローリングピストン２１９の外周面に線接触されてシリンダーの内部を圧縮室と吐出室に変換させる。
【００３７】
ブラシレス直流モータ２３０は回転子２３１と、固定子２４０と、負荷防止部２５０を含む。
【００３８】
回転子２３１は永久磁石２３３を含み、磁場を発生させる。回転子２３１は駆動軸２１３と結合されて回転する。
【００３９】
固定子２４０は、電源が印加されると、回転子２３１の永久磁石２３３から発生される磁場と相互作用によってトルクを発生させるための電場を形成する複数のコイル２４３が巻かれている。固定子２４０の下段部には負荷防止部２５０が結合される。
【００４０】
コイル２４３は複数の相（Ｕ、Ｖ、Ｗ）を有し鉄芯２４１に巻かれ、コイル２４３と鉄芯２４１の間には図示されていない絶縁部材が含まれる。コイル２４３はケーシング２５１の固定接点２５１ａと電気的に連結される。コイル２４３は一実施形態として３つの相（Ｕ、Ｖ、Ｗ）を有するが、６つ、１２つなどの相を有することができる。ここで、コイル２４３は接地のためのコイルをさらに含むことができる。
【００４１】
以下で図面に固定子２４０に巻かれたコイル２４３の複数相（Ｕ、Ｖ、Ｗ）が相互連結されることを区別するためにＵ１、Ｕ２、Ｖ１、Ｖ２、Ｗ１、Ｗ２で示すが、説明の便宜上、Ｕ１及びＵ２をＵと、Ｖ１及びＶ２をＶと、Ｗ１及びＷ２をＷと通称することができる。
【００４２】
負荷防止部２５０はケーシング２５１と、移動部材２５３と、変形部材２５５を含む。負荷防止部２５０は弾性部材２５７をさらに含む。負荷防止部２５０は移動検出センサー２５９または回動防止部材２６１をさらに含むことができる。
【００４３】
ケーシング２５１は固定子２４０に支持され、コイル２４３の各相（Ｕ、Ｖ、Ｗ）と結合される。ケーシング２５１は電気が通じない材質を含む。ケーシング２５１は内部に空間を有する円筒形や、四角筒形などの多様な形状に設けられることができる。ケーシング２５１は中央領域で固定接点２５１ａを、下部領域で変形部材２５５をそれぞれ支持する。ケーシング２５１の上部には必要によって移動検出センサー２５９が配置されることができる。ケーシング２５１は鉄芯２４１とコイル２４３の間を絶縁させるプラスチックを含む絶縁部材によって支持できる。
【００４４】
移動部材２５３は複数相（Ｕ、Ｖ、Ｗ）のコイル２４３を相互連結可能にケーシング２５１の内部に結合される。移動部材２５３は固定接点２５１ａと接触されてコイル２４３の各相を相互電気的に連結させる移動信号線２５３ａと、移動信号線２５３ａの端部に設けられて固定接点２５１ａと接触する移動接点２５３ｂを含む。移動部材２５３は円形の板状に設けられ、相互交差する移動信号線２５３ａが電気的に連結されないように移動信号線２５３ａは積層される構造を有する。
【００４５】
移動部材２５３は温度変化によってケーシング２５１の固定接点２５１ａと接触されて電気的に連結される連結位置と、コイル２４３と離れて固定接点２５１ａと電気的に連結されない短絡位置との間を移動することができる。移動部材２５３には連結位置と短絡位置の間を上下移動しながら移動軸線に対して回転しないように回動防止部材２６１が形成できる。ここで、移動部材２５３が移動して固定接点２５１ａと移動接点２５３ｂが離れて複数相（Ｕ、Ｖ、Ｗ）のコイル２４３が電気的に連結されない状態でコイル２４３に流れる電流を端子電圧検出センサー２８３で検出することができる。
【００４６】
変形部材２５５はケーシング２５１に支持されて温度の変化によって変形され、変形によって移動部材２５３を連結位置と短絡位置の間を移動させる。変形部材２５５は温度の変化によって変形されるバイメタルのような材質を含む。変形部材２５５は移動部材２５３が移動する過程で傾かず安定的に移動できるように移動部材２５３の中央領域板面と面接触が可能な平坦部２５５ａを含む。これによって、固定接点２５１ａと移動接点２５３ｂの接触または離隔が安定的に行われることができる。
【００４７】
変形部材２５５は薄い円板形状に設けられているが、本発明の目的を達成するための範囲内で多様に長い棒のような形状などを選択的に採用することができる。つまり、変形部材２５５では固定接点２５１ａと移動接点２５３ｂが離れてコイル２４３の各相（Ｕ、Ｖ、Ｗ）が電気的に遮断されるように形状、厚さ、大きさなどが選ばれることができる。
【００４８】
そのため、変形部材２５５はケーシング２５１の内部または固定子２４０の温度変化によって容易に変形されることができる。変形部材２５５の変形は圧縮機２１０の内部の温度変化を最も近接した位置で反映して行われるので本発明による圧縮機２１０の信頼性が向上することができる。
【００４９】
ここで、変形部材２５５が連結位置から短絡位置に移動すれば制御部２７０で固定子２４０に印加された電源供給を中断させることができる。
【００５０】
弾性部材２５７は移動部材２５３を変形部材２５５に向かって弾性的に加圧するようにケーシング２５１と移動部材２５３の間に介される。弾性部材２５７は危険温度で変形部材２５５が変形されて固定接点２５１ａと移動接点２５３ｂが離れてコイル２４３の電気的に連結が遮断されるように変形部材２５５に向かって移動部材２５３を加圧する弾性力を有する。
【００５１】
そのため、弾性部材２５７の加圧によって固定接点２５１ａと移動接点２５３ｂが安定的に接触して保持されることができる。
【００５２】
移動検出センサー２５９はケーシング２５１に結合されて移動部材２５３の移動を検出する。つまり、移動検出センサー２５９は変形部材２５５の温度変化による移動部材２５３が連結位置と短絡位置を移動するか否かを検出することができる。移動検出センサー２５９は移動部材２５３の変位量を測定できるフォトセンサーなどの公知されたセンサーを選択的に採用することができる。移動検出センサー２５９で検出した結果は制御部２７０に送られる。これによって、制御部２７０は移動部材２５３で電気的に短絡されたという信号と、移動検出センサー２５９の結果に基づいて固定子２４０に印加される電源の供給または遮断の要否を制御することができる。
【００５３】
これによって、移動部材２５３の移動を比較的に安定的に検出することができる。
【００５４】
回動防止部材２６１は移動部材２５３が連結位置と短絡位置の間を移動する過程で移動軸線に対して移動部材２５３が回転運動しないようにする。回動防止部材２６１は移動部材２５３に陥没された回動防止スロット２６１ａとケーシング２５１に形成され回動防止スロット２６１ａに噛み合って移動部材２５３を案内する回動防止突起２６１ｂを含む。ここで、一実施形態とは異なり、回動防止スロット２６１ａがケーシング２５１に設けられて、回動防止突起２６１ｂが移動部材２５３に設けられることができる。
【００５５】
これによって、移動部材２５３は連結位置と短絡位置の間を回動せず比較的に安定的に移動することができる。
【００５６】
したがって、圧縮機２１０が劣悪な環境で使用される場合でも圧縮機２１０の内部の温度変化を反映してブラシレス直流モータ２３０を保護することができる。そして、簡便な構造を有する負荷防止部２５０を提供することができる。
【００５７】
制御部２７０は、変形部材２５５が変形され移動部材２５３がコイル２４３から離隔して電気的に連結されない場合、ブラシレス直流モータ２３０が稼動されないように制御する。つまり、制御部２７０は、移動部材２５３が短絡位置に位置した場合、固定子２４０に印加される電源を供給せず、移動部材２５３が連結位置に位置した場合、固定子２４０に印加される電源を供給することができる。ここで、制御部２７０は前記のように移動部材２５３の移動によって電源の供給の要否を自動的に行うこともできるアルゴリズムを含むことができる。
【００５８】
制御部２７０は電流検出センサー２８１と、地位検出センサー２８５と、端子電圧検出センサー２８３の結果に基づいてＰＷＭ（Ｐｕｌｓｅ  Ｗｉｄｔｈ  Ｍｏｄｕｌａｔｉｏｎ）制御信号を発生させてインバータ部２９３に送る。
【００５９】
センサー部２８０はブラシレス直流モータ２３０の回転子２３１の位置を検出するホールセンサー（Ｈａｌｌ  ｓｅｎｓｏｒ）、リゾルバ（Ｒｅｓｏｌｖｅｒ）素子、エンコーダ（Ｅｎｃｏｄｅｒ）等を含む地位検出センサー２８５を含む。地位検出センサー２８５は回転子２３１の位置を間接的に検出するセンスレス方式を含むことができる。センサー部２８０は固定子２４０に印加される電流の大きさが検出できる端子電圧検出センサー２８３をさらに含むことができる。
【００６０】
これによって、ブラシレス直流モータ２３０の運転が安定的に行われ、運転の信頼性を向上させることができる。
【００６１】
整流部２９１は交流電源を整流させて直流電源として供給し、図示されていない整流器及び平滑コンデンサを含む。
【００６２】
インバータ部２９３は整流部２９１から供給される直流電源を任意の可変周波数を有するパルス形態の３相（Ｕ、Ｖ、Ｗ）の交流電源に変えてブラシレス直流モータ２３０に供給する。インバータ部２９３は６つのスイッチング素子Ｑ１〜Ｑ６と、ダイオードで構成された通常のスイッチング回路である。
【００６３】
電流検出センサー２８１は整流部２９１で整流された電流を検出する。
【００６４】
これによって、制御部２７０はセンサー部２８０と、移動検出センサー２５９等の結果に基づいて信号発生器２７１でＰＷＭ制御信号を発生させてインバータ部２９３に伝達できる。この過程で、制御部２７０は圧縮機２１０の内部の温度変化によって移動部材２５３の移動結果を反映して固定子２４０に印加される電源を供給及び遮断するように制御することができる。
【００６５】
ここで、制御部２７０は必要によって室外制御部１２５に含まれることができる。
【００６６】
このような構成によって、一実施形態による空気調和機１００の圧縮機２１０の作動過程を図１、図２、図６ａ乃至図６ｃを参照して説明する。
【００６７】
空気調和機１００に電源が印加されて整流部２９１及びインバータ部２９３で電源が変換され、圧縮機２１０の固定子２４０に電源が供給される。これによって、固定子２４０と回転子２３１の相互作用によって回転子２３１及び回転子２３１に結合された駆動軸２１３が回転する。駆動軸２１３の下部に設けられた偏心部材２１５の回転によって偏心部材２１５の外周面に結合されたローリングピストン２１９も回転する。これによって、シリンダー２１７に結合されてローリングピストン２１９と接触されるベインによって吸入室と圧縮室が区切され、ローリングピストン２１９の回転によって冷媒が吸入、圧縮及び排出される過程を繰り返す。
【００６８】
つまり、使用者が空気調和機１００を暖房モードに設定すれば、圧縮機２１０は冷媒を圧縮する。圧縮された冷媒は室内熱交換機１１１に供給され、室内送風ファン１１３によって室内空気は室内熱交換機１１１と熱交換が行われ、室内に暖かい空気が放出されて室内を暖かく保持できる。そして、室内熱交換機１１１を通過した冷媒は室外熱交換機１２１に供給される。
【００６９】
使用者が空気調和機１００を冷房モードに設定すれば、圧縮機２１０は冷媒を圧縮する。圧縮された冷媒は室内熱交換機１１１に供給され、室内送風ファン１１３によって室内空気は室内熱交換機１１１と熱交換が行われ、室内に冷たい空気が放出されて室内を冷たく保持できる。そして、室内を通過した冷媒は圧縮機２１０と、室外熱交換機１２１に供給される。
【００７０】
この過程で制御部２７０がブラシレス直流モータ２３０に供給される電源を制御する方法は前述したので以下では省略する。
【００７１】
このような正常運転過程で圧縮機２１０の内部の異常高温などの危険温度によって変形部材２５５が変形される場合について以下で説明する。
【００７２】
まず、図６ａに示されているように、圧縮機２１０の内部に異常高温が発生すると、変形部材２５５が膨張して上側に変形され、弾性部材２５７の加圧力を克服して移動部材２５３を上側に持ち上げ、弾性部材２５７は収縮される。これによって、固定接点２５１ａと移動接点２５３ｂが離れてコイル２４３の各相（Ｕ、Ｖ、Ｗ）が電気的に連結されない。
【００７３】
つまり、図６ｂに示されているように、コイル２４３の各相（Ｕ、Ｖ、Ｗ）が電気的に連結された状態から、図６ｃに示されているように、コイル２４３の各相（Ｕ、Ｖ、Ｗ）が電気的に連結されない状態に、コイル２４３の電気的な連結状態が変わる。
【００７４】
このような変化過程は移動検出センサー２５９または端子電圧検出センサー２８３によって検出でき、検出結果は制御部２７０に伝達される。これによって、制御部２７０で検出結果に基づいてブラシレス直流モータ２３０に供給される電源を遮断するアルゴリズムでブラシレス直流モータ２３０を制御することができる。
【００７５】
その次に、圧縮機２１０の内部の温度が正常に回復されると、移動検出センサー２５９乃至端子電圧検出センサー２８３の検出結果に基づいて制御部２７０はブラシレス直流モータ２３０に電源を供給するように制御することができる。
【００７６】
また、本発明による空気調和機は前述の実施形態にのみ適用されるのではなく、室内機及び室外機などに区別されない多様な種類の空気調和機に適用されることができる。
【図面の簡単な説明】
【００７７】
【図１】本発明の一実施形態による空気調和機の斜視図である。
【図２】図１の室外制御部の制御過程を説明するための概略的な構成図である。
【図３】図１の圧縮機の断面図である
【図４】図３の固定子の展開図である。
【図５ａ】図４の負荷防止部の拡大断面図である。
【図５ｂ】図５ａの移動部材の斜視図である。
【図６ａ】負荷防止部の作動状態を説明するための断面図である。
【図６ｂ】負荷防止部の作動状態を説明するための回路連結図である。
【図６ｃ】負荷防止部の作動状態を説明するための回路連結図である。
【符号の説明】
【００７８】
１００      空気調和機
１１０      室内機
１２０      室外機
２１０      圧縮機
２１１      ハウジング
２１３      駆動軸
２１７      シリンダー
２１９      ローリングピストン
２３０      ブラシレス直流モータ
２３１      回転子
２４０      固定子
２４１      鉄芯
２４３      コイル
２５０      負荷防止部
２５１      ケーシング
２５３      移動部材
２５５      変形部材
２５７      弾性部材
２５９      移動検出センサー
２６１      回動防止部材
２７０      制御部
２８０      センサー部
２９１      整流部
２９３      インバータ部
【図１】
2008199872.tif 000003
【図２】
2008199872.tif 000004
【図３】
2008199872.tif 000005
【図４】
2008199872.tif 000006
【図５ａ】
2008199872.tif 000007
【図５ｂ】
2008199872.tif 000008
【図６ａ】
2008199872.tif 000009
【図６ｂ】
2008199872.tif 000010
【図６ｃ】
2008199872.tif 000011